(57)【要約】本発明は折り畳み式ベビーカーを提供するものであって、折り畳み式ベビーカー及び装置は上架体、下架体及び後架体を含み、前記上架体の下端と前記下架体の上端はそれぞれ前記後架体に枢接され、前記折り畳み式ベビーカーは更に連動機構と係合機構とを含み、前記連動機構はスライダー、牽引棒及び支持棒を備え、前記スライダーは前記後架体に摺接され、前記スライダーと前記上架体、前記下架体との間にはそれぞれ一つの牽引棒が連結され、2つの前記支持棒の中央部はお互いに枢接され、前記支持棒毎の両端はそれぞれ2つの後架体に連結され、前記スライダーは前記支持棒に連結されて2つの前記支持棒がお互いに枢転するようにし、前記係合機構は前記後架体に前記スライダーが前記後架体に対する相対的に摺動を制限するように設けられる。本発明の折り畳み式ベビーカー及び装置は構造が簡単で、操作が簡便で、係合機構を操作することにより、上架体と下架体の重力を利用して折り畳み式ベビーカーを収束することができるので手間を省く。また、本発明は折り畳み式の装置を提供する。
2016533969.tif 000002
【特許請求の範囲】
【請求項１】
上架体、下架体及び後架体を含み、前記上架体の下端と前記下架体の上端はそれぞれ前記後架体に枢接される折り畳み式ベビーカーにおいて、前記折り畳み式ベビーカーは更に連動機構と係合機構とを含み、前記連動機構はスライダー、牽引棒及び支持棒を備え、前記スライダーは前記後架体に（直接）摺接され、前記スライダーと前記上架体、前記下架体との間にはそれぞれ一つの牽引棒が（直接）連結され、2つの前記支持棒の中央部はお互いに枢接され、前記各支持棒の両端はそれぞれ2つの後架体に連結され、前記スライダーは前記支持棒に連結されて2つの前記支持棒がお互いに枢転するようにし、前記係合機構は前記後架体に前記スライダーが前記後架体に対する相対的に摺動を制限するように設けられる、ことを特徴とする折り畳み式ベビーカー。
【請求項２】
前記連動機構は連結棒を含み、前記連結棒は前記スライダーと前記支持棒との間に枢接されることを特徴とする請求項１に記載の折り畳み式ベビーカー。
【請求項３】
前記支持棒の一端は前記後架体に枢接され、前記支持棒の他端と前記後架体との間には一つの転動棒が枢接され、前記転動棒と前記連結棒は2つの前記支持棒の中央部の枢接点に対して対称的に設けられていることを特徴とする請求項２に記載の折り畳み式ベビーカー。
【請求項４】
前記係合機構は固定具と係合具とを含み、前記固定具は前記後架体に固定され、前記係合具は前記固定具に枢接され、前記係合具は前記固定具に対して相対的に枢転することにより前記スライダーを掛止することを特徴とする請求項１に記載の折り畳み式ベビーカー。
【請求項５】
前記固定具と前記係合具との間には弾性具が設けられ、前記弾性具は前記係合具が常に前記スライダーを掛止するようにすることを特徴とする請求項4に記載の折り畳み式ベビーカー。
【請求項６】
前記固定具は前記スライダーの上方に位置し、前記係合具の上端は前記固定具に枢接され、前記係合具の下端に引掛け部を有し、前記引掛け部は前記スライダーを掛止することにより前記スライダーが前記後架体に対しての相対的な摺動を制限することを特徴とする請求項4に記載の折り畳み式ベビーカー。
【請求項７】
操作部を含み、前記操作部の両端はそれぞれ前記係合具に連結されることを特徴とする請求項4に記載の折り畳み式ベビーカー。
【請求項８】
折り畳み式ベビーカーに応用される折畳式装置において、前記折り畳み式ベビーカーは上架体、下架体及び後架体を含み、前記上架体の下端と前記下架体の上端はそれぞれ前記後架体に枢接され、前記折畳式装置は連動機構と係合機構とを含み、前記連動機構はスライダー、牽引棒及び支持棒を備え、前記スライダーは前記後架体に摺接され、前記スライダーと前記上架体、前記下架体との間にはそれぞれ一つの牽引棒が連結され、2つの前記支持棒の中央部はお互いに枢接され、前記支持棒毎の両端はそれぞれ2つの後架体に連結され、前記スライダーは前記支持棒に連結されて2つの前記支持棒がお互いに枢転するようにし、前記係合機構は前記後架体に前記スライダーが前記後架体に対する相対的に摺動を制限するように設けられることを特徴とする折り畳み式の装置。
【請求項９】
前記連動機構は連結棒を含み、前記連結棒は前記スライダーと前記支持棒との間に枢接されることを特徴とする請求項８に記載の折り畳み式の装置。
【請求項１０】
前記係合機構は固定具と係合具とを含み、前記固定具は前記後架体に固定され、前記係合具は前記固定具に枢接され、前記係合具は前記固定具に対して相対的に枢転することにより前記スライダーを掛止することを特徴とする請求項８に記載の折り畳み式の装置。
【発明の詳細な説明】
【技術分野】
【０００１】
本発明は、折り畳み式ベビーカー及び装置に関し、特に折り畳みが便利なベビーカー及びその折り畳み装置に関する。
【背景技術】
【０００２】
通常、家庭では幼児を車に乗せて外出する場合が多いが、ベビーカーの体積は大きいので携帯が難しいのが現状である。現在、市販されている多数のベビーカーは改良により折り畳みが可能になって、使用する際にはベビーカーを展開して乳児を乗せ、不使用の際にはベビーカーを折り畳むことにより体積を小さくして携帯し易くしている。
【０００３】
しかし、現在の折り畳み式ベビーカーは折り畳む時に両手での操作が必要であるため、複数回の折り畳み等で操作が不便である。特に、一人で子供を連れて外出した時に一方の手で幼児を抱きながら他方の手でベビーカーを折り畳む操作をすることができないため不便である。また、ベビーカーを折りたたむには比較的に強い力が必要となり、一人で折り畳めない場合もあるため、折り畳み式ベビーカーの使用に困難があった。
【０００４】
これに鑑み、使用が便利な折り畳み式ベビーカーが必要となった。
【発明の概要】
【０００５】
本発明の目的は、ベビーカーの構造を改良することにより片手で折り畳み操作を完成することが可能であり、操作が簡単で、便利で、強い力を必要としない折り畳み式ベビーカーを提供することである。
【０００６】
上述の目的を達成するための本発明の折り畳み式ベビーカーは上架体、下架体及び後架体を含み、前記上架体の下端と前記下架体の上端はそれぞれ前記後架体に枢接され、連動機構と係合機構とを含み、前記連動機構はスライダー、牽引棒及び支持棒を備え、前記スライダーは前記後架体に摺接され、前記スライダーと前記上架体、前記下架体との間にはそれぞれ一つの前記牽引棒が連結され、2つの前記支持棒の中央部はお互いに枢接され、各前記支持棒の両端はそれぞれ2つの後架体に連結され、前記スライダーは前記支持棒に連結されて2つの前記支持棒がお互いに枢転するようにし、前記係合機構は前記後架体に前記スライダーが前記後架体に対する相対的な摺動を制限するように設けられる、ことを特徴とする。
【０００７】
従来の技術に比べて、本発明の折り畳み式ベビーカーは、係合機構がスライダーの後架体に対しての摺動を制限することにより、折り畳み式ベビーカーが展開状態を維持し、折り畳み式ベビーカーを収束する際には、係合機構がスライダーに対する定位を解放し、上架体と下架体は重力により後架体に対して相対的に枢転して折り畳み式ベビーカーが縦向きに収束すると同時に、2つの牽引棒の駆動によりスライダーが下架体に沿って下に向かって摺動する。スライダーの摺動により2つの牽引棒は枢転して収束し、折り畳み式ベビーカーが横向きに収束する。構造が簡単で、操作が便利で、係合機構を操作するだけで上架体及び下架体の重力により折り畳み式ベビーカーの収束を駆動することができるので強い力を必要としない。
【０００８】
好ましくは、前記連動機構は連結棒を更に含み、前記連結棒は前記スライダーと前記支持棒との間に枢接され、前記連結棒はスライダーの駆動により枢転し、交差に設けられた2つの支持棒が中心に向かって枢転するように駆動する。
【０００９】
具体的に、前記支持棒の一端は前記後架体に枢接され、前記支持棒の他端と前記後架体との間には一つの転動棒が枢接され、前記転動棒と前期連結棒は2つの前記支持棒の中央部の枢接点に対して対称的に設けられ、２つの転動棒と２つの連結棒はお互いの対称的により2つの支持棒の枢転過程が安定的になる。
【００１０】
好ましくは、前記係合機構は固定具と係合具を含み、前記固定具は前記後架体に固定され、前記係合具は前記固定具に枢接され、前記係合具は前記固定具に対して相対的に枢転することにより前記スライダーを押し当てる。係合具がスライダーの限位を解放するように駆動して枢転し、スライダーが後架体に対して相対的に摺動すると操作が簡単で便利に折り畳み式ベビーカーを収束することができる。
【００１１】
具体的に、前記固定具と前記係合具との間には弾性具が設けられ、前記弾性具は前記係合具が常に前記スライダーを掛止するようにする。弾性具は係合具が常に前記スライダーを掛止するようにすることにより折り畳み式ベビーカーの展開状態を維持する。
【００１２】
具体的に、前記固定具は前記スライダーの上方に位置し、前記係合具の上端は前記固定具に枢接され、前記係合具の下端に引掛け部を有し、前記引掛け部は前記スライダーを押し当てることにより前記スライダーが前記後架体に対しての相対的な摺動を制限する。
【００１３】
好ましくは、前記折り畳み式ベビーカーは操作具を更に含み、前記操作具の両端はそれぞれ前記係合具に連結されてユーザーが操作具を操作することにより2つの係合具が同時に動いてスライダーを解放またはロックする。
【００１４】
上記の目的を達成するため本発明の折り畳み式の装置は、ベビーカーに応用し、前記折り畳み式ベビーカーは上架体、下架体及び後架体とを含み、前記上架体の下端と前記下架体の上端はそれぞれ前記後架体に枢接され、連動機構と係合機構とを含み、前記連動機構はスライダー、牽引棒及び支持棒を備え、前記スライダーは前記後架体に（直接）摺接され、前記スライダーと前記上架体、前記下架体との間にはそれぞれ一つの牽引棒が（直接）連結され、2つの前記支持棒の中央部はお互いに枢接され、前記支持棒毎の両端はそれぞれ2つの後架体に連結され、前記スライダーは前記支持棒に連結されて2つの前記支持棒がお互いに枢転するようにし、前記係合機構は前記後架体に前記スライダーが前記後架体に対する相対的に摺動を制限するように設けられることを特徴とする。
【００１５】
従来の技術に比べて、本発明の折り畳み式の装置は、係合機構がスライダーの後架体に対しての摺動を制限することにより、折り畳み式ベビーカーが展開状態を維持し、折り畳み式ベビーカーを収束する際には、係合機構がスライダーに対する定位を解放し、上架体と下架体は重力により後架体に対して相対的に枢転して折り畳み式ベビーカーが縦向きに収束し、牽引棒の駆動によりスライダーが下架体に沿って下に向かって摺動する。スライダーの摺動により2つの牽引棒は枢転して収束し、折り畳み式ベビーカーが横向きに収束する。構造が簡単で、操作が便利で、係合機構を操作するだけで上架体及び下架体の重力により折り畳み式ベビーカーの収束を駆動することができるので強い力を必要としない。
【００１６】
好ましくは、前記連動機構は連結棒を含み、前記連結棒は前記スライダーと前記支持棒との間に枢接され、前記連結棒はスライダーの駆動によりスライダーと支持棒に対して相対的に枢転し、交差に設けられた2つの支持棒が中心に向かって枢転するように駆動する。
【００１７】
前記係合機構は固定具と係合具とを含み、前記固定具は前記後架体に固定され、前記係合具は前記固定具に枢接され、前記係合具は前記固定具に対して相対的に枢転することにより前記スライダーを押し当てる。係合具を駆動して係合具がスライダーの限位を解放するように駆動して枢転し、スライダーが後架体に対して相対的に摺動すると操作が簡単で便利に折り畳み式ベビーカーを収束することができる。
【図面の簡単な説明】
【００１８】
【図１】本発明の実施例の折り畳み式ベビーカーの構成を示す斜視図である。
【図２】本発明のスライダーの構造を示す斜視図である。
【図３】本発明の実施例の折り畳み式ベビーカーの展開状態の正面の一部を示す図である。
【図４】図３のA部分の拡大図である。
【図５】本発明の実施例の折り畳み式ベビーカーの展開状態の側面の一部を示す図である。
【図６】本発明の実施例の折り畳み式ベビーカーの収束時の構成を示す斜視図である。
【図７】本発明の実施例の折り畳み式ベビーカーの収束時の正面の一部を示す図である。
【図８】図７のB部分の拡大図である。
【図９】本発明の実施例の折り畳み式ベビーカーの収束過程での側面の一部を示す図である。
【図１０】本発明の実施例の折り畳み式ベビーカーの収束状態の構成を示す斜視図である。
【図１１】本発明の実施例の折り畳み式ベビーカーの収束状態の正面の一部を示す図である。
【図１２】本発明の実施例の折り畳み式ベビーカーの収束状態の側面の一部を示す図である。
【発明を実施するための形態】
【００１９】
本発明の技術内容、構造特徴、目的及び効果を詳しく説明するために、図面を参照しながら本発明の実施の形態について説明する。
【００２０】
図１に示したような折り畳み式ベビーカーは、上架体１００、下架体２００、後架体３００、収束ジョイント４００、及び折畳装置５００を含む。上架体１００は左上架体１１０、右上架体１２０を備え、左上架体１１０と右上架体１２０はお互いに対称する反転L状を呈し、且つ左上架体１１０と右上架体１２０の上端はお互いに枢接する。下架体２００は左下架体２１０、右下架体２２０を備え、左下架体２１０と右下架体２２０はお互いに対称するL状を呈し、且つ左下架体２１０と右下架体２２０との下端はお互いに枢接する。後架体３００は左後架体３１０、右後架体３２０を備え、左後架体３１０と右後架体３２０は上架体１００と下架体２００の一側に位置し、左上架体１１０と左下架体２１０は収束ジョイント４００を介して左後架体３１０に連結され、右上架体１２０と右下架体２２０は収束ジョイント４００を介して右後架体３２０に連結されることにより上架体１００と下架体２００が後架体３００に対して相対的に枢転する。折畳装置５００は左後架体３１０と右後架体３２０との間に位置し、上架体１００と下架体２００の後架体３００に対しての相対的な枢転を制限する。
【００２１】
図面２〜図面１２を参照しながらより具体的に説明すると、折畳装置５００は連結機構５１０、係合機構５２０及び操作具５３０を含む。連結機構５１０は牽引棒５１２、支持棒５１３、連結棒５１４及び転動棒５１５を備え、係合機構５２０は固定具５２１、係合具５２２及び弾性具５２３を備える。
【００２２】
図面２に示したように、スライダー５１１の中央部には穿孔５１１aを有し、穿孔５１１aにより摺動自在に後架体３００に接続すされる。スライダー５１１の両側は外に向いて突出して第一連結部５１１ｂを形成し、２つの第一連結部５１１ｂは上架体１００、下架体２００との間にそれぞれ一つの牽引棒５１２を枢接する。上架体１００と下架体２００が後架体３００に対して相対的に枢転する時に、牽引棒５１２を連動してスライダー５１１が後架体３００に沿って摺動するように駆動することによって折り畳み式ベビーカーの縦方向での収束または展開を実現する。更に、図面２に示したように、2つの第一連結部５１１ｂの間にはスライダー５１１の外側壁の限位ブロック５１１ｃが形成される。
【００２３】
2つの支持棒５１３の中央部はお互いにP点で枢接し、各支持棒５１３の両端はそれぞれ左後架体３１０と右後架体３２０に連結され、スライダー５１１が支持棒５１３に連結されることにより2つの支持棒５１３が相対的に枢転するように駆動する。更に具体的には、各支持棒５１３の上端はそれぞれ左後架体３１０または右後架体３２０に連結され、各支持棒５１３の下端と、左後架体３１０または右後架体３２０との間には一つの転動棒５１５が枢接され、各支持棒５１３とスライダー５１１との間の2つの支持棒５１３の中央部枢接点Pの上側には連結棒５１４が枢接され、連結棒５１４と転動棒５１５は中央部枢接点Pに対して対称的に設けられる。更に、図２に示したように、スライダー５１１から前記支持棒５１３に向いて第三連結部５１１dを突出して形成し、第三連結部５１１dは連結棒５１４を連結するのに用いられる。スライダー５１１が後架体３００に対して相対的に摺動する際に、スライダー５１１に枢接されている連結棒５１４を連動して2つの支持棒５１３が相対的に枢転するように駆動し、連結棒５１４と転動棒５１５が相対的に枢転することにより左後架体３１０と右後架体３２０が接近または遠離して折り畳み式ベビーカーの収束または展開を実現する。
【００２４】
固定具５２１は後架体３００に固定的に連結され、且つ固定具５２１はスライダー５１１の上方に位置し、係合具５２２は相対的に左後架体３１０と右後架体３２０の内側に位置し、且つ係合具５２２の上端は固定具５２１に枢接され、係合具５２２の下端に引掛け部５２２aを有し、折り畳み式ベビーカーが展開状態の時に、係合具５２２はスライダー５１１に接近し、引掛け部５２２aは限位ブロック５１１ｃの下側面を掛止し、固定具５２１の下側面はスライダー５１１の上側面に押し当てられ、スライダー５１１が後架体３００に対する相対的な摺動を制限することにより折り畳み式ベビーカーが展開状態を維持することができる。係合具５２２と固定具５２１との間の係合具５２２と固定具５２１の枢接処の下方には弾性具５２３が設けられ、弾性具５２３は係合具５２２が常に限位ブロック５１１ｃを押し当てるようにすることにより引掛け部５２２aが常に限位ブロック５１１ｃを押し当てる状態を維持して折り畳み式ベビーカーの展開状態を維持する。
【００２５】
操作具５３０は柔軟性連結具であり、操作具５３０の両端はそれぞれ係合具５２２に連結されている。具体的に、操作具５３０と係合具５２２との連結処は係合具５２２と固定具５２１の枢接処の下方に位置する。
【００２６】
図１〜図１２を参照しながら本発明の折り畳み式ベビーカーの収束過程について更に説明する。折り畳み式ベビーカーが展開状態の際に、図３〜図５に示したように、上架体１００と下架体２００は後架体３００に対して相対的に展開され、上架体１００と下架体２００は展開すると同一の直線に位置し、固定具５２１の下側面はスライダー５１１の上側面に押し当てられ、弾性具５２３が係合具５２２を引っ張ることにより引掛け部５２２aが限位ブロック５１１ｃの下側面に掛止されてスライダー５１１の位置を制限して折り畳み式ベビーカーの展開状態を維持する。
【００２７】
折り畳み式ベビーカーを収束する際には、図３に示したようにF１方向に操作具５３０を引っ張ると、係合具５２２は力を受けて枢転してスライダー５１１から遠離し、弾性具５２３は弾性変形し、引掛け部５２２aは限位ブロック５１１ｃに対する掛止作用を解放する。図６〜図９に示すように、上架体１００と下架体２００は重力の作用により後架体３００に対して相対的に枢転して収束して折り畳み式ベビーカーの縦方向の収束を実現する。上架体１００と下架体２００は、牽引棒５１２がスライダー５１１を駆動して後架体３００に対して相対的に下に向いて摺動し、スライダー５１１は牽引棒５１４を連動して動かせ、牽引棒５１４はスライダー５１１と支持棒５１３に対して相対的に枢転して2つの支持棒５１３が後架体３００に接近するように引っ張ることにより2つの支持棒５１３が相対的に枢転して収束して折り畳み式ベビーカーが横方向に収束される。折り畳み式ベビーカーは同時に横方向の収束と縦方向に収束し、収束が完成した後の折り畳み式ベビーカーは図１０〜図１２に示す。
【００２８】
従来の技術に比べると、本発明の折り畳み式ベビーカーは、係合機構５２０がスライダー５１１の後架体３００に対しての相対的な摺動を制限することにより折り畳み式ベビーカーの展開状態を維持し、折り畳み式ベビーカーを収束する際には、係合機構５２０を操作してスライダー５１１に対する限位を解放し、上架体１００と下架体２００は重力の作用により後架体３００に対して相対的に枢転して収束することにより折り畳み式ベビーカーが縦方向に収束し、同時に2つの牽引棒５１２がスライダー５１１を駆動して後架体３００に沿って下に向いて摺動し、スライダー５１１の摺動は2つの支持棒５１３が枢転して収束するように連動することにより折り畳み式ベビーカーが横方向に収束する。構造が簡単で、操作が便利で、係合機構５２０を操作するだけで上架体１００及び下架体２００の重力により折り畳み式ベビーカーの収束を駆動することができるので強い力を必要としない。
【００２９】
上述したのは、本発明の好ましい実施例に過ぎず、本発明を如何なる形態で限定するものではない。よって、上記の技術内容に基づいて行う変更、同等な変化は本発明の技術方案を逸脱しない限り、いずれも本発明の技術方案の範囲内に属するものである。
【図１】
2016533969.tif 000003
【図２】
2016533969.tif 000004
【図３】
2016533969.tif 000005
【図４】
2016533969.tif 000006
【図５】
2016533969.tif 000007
【図６】
2016533969.tif 000008
【図７】
2016533969.tif 000009
【図８】
2016533969.tif 000010
【図９】
2016533969.tif 000011
【図１０】
2016533969.tif 000012
【図１１】
2016533969.tif 000013
【図１２】
2016533969.tif 000014
【国際調査報告】
2016533969.tif 000015
2016533969.tif 000016
2016533969.tif 000017
2016533969.tif 000018